(57)【要約】【課題】画像表示部に関する調節が容易となる携帯表示装置を提供する。【解決手段】画像表示部２０に関する操作部材である解除スイッチ２５、明るさ調節ダイヤル２６およびコントラスト調節ダイヤル２７を画像表示部２０に設けるように構成したので、画像表示部２０に関する調節が容易になる。画像表示部２０に設けられた解除スイッチ２５によって、各支持部４，６における固定と解除とを操作できるように構成した。これにより、片手で位置調節の対象部材である画像表示部２０を把持しながらその位置を調節できるので、すなわち、使用者が位置調節の際に持ちたいと思う場所に解除スイッチ２５が設けられているので、解除スイッチが画像表示部２０から離れた位置に設けられている場合と比べて、格段に位置調節が容易となる。【選択図】図１
2007325105.tif 000002
【特許請求の範囲】
【請求項１】
使用者の頭部に装着するための装着部と、
画像を表示する画像表示部と、
前記装着部に取り付けられて前記画像表示部を片持ち梁構造で支持する支持部と、
前記表示部に関する操作部材とを備え、
前記操作部材は、前記画像表示部に設けられていることを特徴とする携帯表示装置。
【請求項２】
請求項１に記載の携帯表示装置において、
前記操作部材は、前記装着部と前記画像表示部との相対位置を変更可能とする位置調節可能状態と、前記装着部と前記画像表示部との相対位置を固定する固定状態とを切り換える切換部材であることを特徴とする携帯表示装置。
【請求項３】
請求項１または請求項２に記載の携帯表示装置において、
前記操作部材は、前記画像表示部に表示する表示画像に関する調節を行う部材であることを特徴とする携帯表示装置。
【請求項４】
請求項２に記載の携帯表示装置において、
前記切換部材は、前記装着部と前記画像表示部との相対位置を変更する際に可動する複数の可動部分を一括して固定する、または、固定を解除する動作を制御する部材と接続していることを特徴とする携帯表示装置。
【請求項５】
請求項４に記載の携帯表示装置において、
前記複数の可動部分のうち、任意の一の可動部分による可動方向の少なくとも１つは、他の可動部分の可動方向とは異なる方向であることを特徴とする携帯表示装置。
【発明の詳細な説明】
【技術分野】
【０００１】
本発明は、使用者の頭部に装着して使用する携帯表示装置に関する。
【背景技術】
【０００２】
従来から、使用者の頭部に装着して使用する携帯表示装置として、たとえば特許文献１に記載された装置のようなニアアイディスプレイまたはヘッドマウントディスプレイと呼ばれる装置が知られている（特許文献１参照）。
【０００３】
この装置では、使用者の目の位置に合わせて画像を表示する表示部の位置を使用者が手で任意に調節できる。
【０００４】
【特許文献１】特表平９−５０４１２０号公報
【発明の開示】
【発明が解決しようとする課題】
【０００５】
しかし、従来の携帯表示装置では、表示部に関する操作部材は、表示部観察時の視線方向から大きく視線を外さないと操作部材を目視することができず、表示部を見ながら調節することができなかった。そのため、表示部が最適な状態にあるか否かという確認と調節という動作を繰り返し行うため、操作が煩雑であった。
【課題を解決するための手段】
【０００６】
（１）  請求項１の発明による携帯表示装置は、使用者の頭部に装着するための装着部と、画像を表示する画像表示部と、装着部に取り付けられて画像表示部を片持ち梁構造で支持する支持部と、表示部に関する操作部材とを備え、操作部材は、画像表示部に設けられていることを特徴とする。
（２）  請求項２の発明は、請求項１に記載の携帯表示装置において、操作部材は、装着部と画像表示部との相対位置を変更可能とする位置調節可能状態と、装着部と画像表示部との相対位置を固定する固定状態とを切り換える切換部材であることを特徴とする。
（３）  請求項３の発明は、請求項１または請求項２に記載の携帯表示装置において、操作部材は、画像表示部に表示する表示画像に関する調節を行う部材であることを特徴とする。
（４）  請求項４の発明は、請求項２に記載の携帯表示装置において、切換部材は、装着部と画像表示部との相対位置を変更する際に可動する複数の可動部分を一括して固定する、または、固定を解除する動作を制御する部材と接続していることを特徴とする。
（５）  請求項５の発明は、請求項４に記載の携帯表示装置において、複数の可動部分のうち、任意の一の可動部分による可動方向の少なくとも１つは、他の可動部分の可動方向とは異なる方向であることを特徴とする。
【発明の効果】
【０００７】
本発明によれば、画像表示部に関する調節が容易になる。
【発明を実施するための最良の形態】
【０００８】
図１〜６を参照して、本発明による携帯表示装置の一実施の形態を説明する。図１は、本実施の形態のヘッドマウントディスプレイを模式的に示す図であり、ヘッドマウントディスプレイを使用者が頭部Ｈに装着した状態を示している。図２は、ヘッドマウントディスプレイ１の構造を模式的に示した断面図である。なお、説明の便宜上、前後左右方向および上下方向を各図に示すように規定する。
【０００９】
ヘッドマウントディスプレイ１の連結アーム２は弾性を有し、その両端部にはヘッドホーン３が取り付けられ、使用者の頭部Ｈを頭頂部（上方）から挟み込んで、ヘッドマウントディスプレイ１を使用者の頭部Ｈに固定するようになっている。すなわち、連結アーム２およびヘッドホーン３は、ヘッドマウントディスプレイ１を使用者が頭部Ｈに装着するための装着部を構成している。
【００１０】
左右のヘッドホーン３は、ドライバ３ａを有する。左側のヘッドホーン３には、後述する各種の制御を行うための制御基板８１が設けられている。また、左側のヘッドホーン３には、後述するアーム支持部４を介してディスプレイアーム５が移動可能に取り付けられている。
【００１１】
ディスプレイアーム５は、表示部２０を片持ち梁構造で支持するもので、後方から前方へ延在するアームであり、ヘッドマウントディスプレイ１を装着した使用者の耳近傍から使用者の顔前（眼前）へ向かって湾曲している。ディスプレイアーム５は、内部に空間を有するケース状の部材であり、内部空間の後方の端部近傍には、アーム支持部４が設けられている。ディスプレイアーム５の前方の内部空間には、画像表示部２０を支持する支持部６が設けられている。また、ディスプレイアーム５の内部空間には、ヘッドマウントディスプレイ１の各部とを接続する配線７１が配設されている。
【００１２】
アーム支持部４は、左側のヘッドホーン３に対するディスプレイアーム５の位置を変更可能に支持し、左右方向に延在する軸ＡＸ１を中心とする回転（矢印４ａ）、上下方向に延在する軸ＡＸ２を中心とする回転（矢印４ｂ）、および、矢印４ｃで示す前後方向への移動を可能としている。アーム支持部４の構造については後述する。
【００１３】
支持部６は、ディスプレイアーム５の前方に設けられ、画像表示部２０を移動可能に支持している。支持部６で支持された画像表示部２０は、支持部６を中心とするロール方向（矢印６ａ）、ピッチ方向（矢印６ｂ）、およびヨー方向（矢印６ｃ）への移動が可能である。支持部６の構造については後述する。
【００１４】
このように、ヘッドマウントディスプレイ１では、複数の可動部分のうち、任意の一の可動部分による可動方向は、他の可動部分の可動方向とは異なっている。
【００１５】
画像表示部２０は、表示デバイス２１と、この表示デバイス２１が表示した画像を使用者の眼に導くための光学系２２と、これらを収納するディスプレイケース２３とを有している。表示デバイス２１は、画像を生成する液晶表示装置（ＬＣＤ）２１ａと、バックライト２１ｂとを有する。また、画像表示部２０には、解除スイッチ２５と、明るさ調節ダイヤル２６と、コントラスト調節ダイヤル２７と、中継基板２８とが設けられている。
【００１６】
解除スイッチ２５は、アーム支持部４および支持部６におけるディスプレイアーム５および画像表示部２０の移動を許可するためのスイッチであり、ディスプレイケース２３の上下面にそれぞれ１つずつ配設されている。すなわち、解除スイッチ２５は、ヘッドマウントディスプレイ１を使用者が頭部Ｈに装着するための装着部と画像表示部２０との相対位置を変更可能とする「位置調節可能状態」と、装着部と画像表示部２０との相対位置を固定する「固定状態」とを切り換えるための操作部材（切換部材）である。
【００１７】
明るさ調節ダイヤル２６は、表示デバイス２１で表示される画像の明るさを調節するための設定器であり、ディスプレイケース２３の上面に配設されている。コントラスト調節ダイヤル２７は、表示デバイス２１で表示される画像のコントラストを調節するための設定器であり、ディスプレイケース２３の上面に配設されている。すなわち、明るさ調節ダイヤル２６およびコントラスト調節ダイヤル２７は、画像表示部２０に表示する表示画像に関する調節を行う部材である。
【００１８】
中継基板２８は、画像表示部２０に配設された表示デバイス２１や各操作部材２５，２６，２７と、制御基板８１からの配線７１とを中継するための基板である。
【００１９】
なお、ヘッドマウントディスプレイ１は、画像表示部２０で表示される画像を左右いずれの目でも観察できるように構成されている。たとえば、ヘッドマウントディスプレイ１を図１に示す状態にセットした場合、使用者は左目で画像表示部２０に表示された画像を観察することとなる。軸ＡＸ１を中心にディスプレイアーム５を頭部Ｈの後方に回動させた後、ヘッドマウントディスプレイ１の左右方向（前後方向）を入れ替えて装着することで、使用者が右目で画像表示部２０に表示された画像を観察することが可能となる。
【００２０】
−−−アーム支持部４の構造−−−
図３は、図２のＡ−Ａ断面を示す図であり、図４は、図２のＢ−Ｂ断面を示す図である。上述したように、アーム支持部４はディスプレイアーム５の後端部近傍に設けられており、シャフト４１と、保治具４２と、バネ４９とを備えている。シャフト４１は、一端に球面状のボール部４１ａが形成された中空軸状の部材であり、他端が左側のヘッドホーン３に固定されている。シャフト４１を貫通する穴には、配線７１が挿通される。
【００２１】
図５は保持具４２の斜視図である。保持具４２は、シャフト４１のボール部４１ａを保持または開放する部材であり、保持板４３，４４と、電磁石４５，４６とを有する。保持板４３，４４には、ヒンジ部４３ａ，４４ａが立設されている。ヒンジ部４３ａとヒンジ部４４ａとは互いにピン４７で回動可能に連結されている。これにより、保持板４３と保持板４４とは、互いにヒンジ部４３ａ，４４ａの高さ分だけ離間した状態で対面し、ピン４７を中心に回動可能である。保持板４３，４４には、それぞれ保持溝４３ｂ，４４ｂが設けられている。保持溝４３ｂ，４４ｂは、ピン４７で連結された保持板４３，４４同士が対向する面に、それぞれ互いに対向するように設けられている。
【００２２】
保持具４２は、ディスプレイアーム５の後端部近傍の内部に設けられ、バネ４９によって保持板４３が保持板４４に向かって付勢されている。ヘッドマウンドディスプレイ１が組み立てられた状態では、ヘッドホーン３に固定されたシャフト４１は、ボール部４１ａが保持板４３，４４の溝４３ｂ，４４ｂに挿入された状態となる。バネ４９の付勢力によって、ピン４７を中心に回動する保持板４３，４４が、それぞれの溝４３ｂ，４４ｂでシャフト４１のボール部４１ａを挟み込んで保持すると、ボール部４１ａが保持板４３，４４に対して固定される。これにより、シャフト４１と保持具４２との相対位置、すなわち、ヘッドホーン３とディスプレイアーム５との相対位置が固定される。
【００２３】
ここで、電磁石４５，４６に通電されて励磁されると、電磁石４５，４６には互いに反発するように磁力が発生し、バネ４９の付勢力を低減させる。これにより、保持板４３，４４がボール部４１ａを挟み込む力が弱められて、シャフト４１のボール部４１ａが保持板４３，４４の溝４３ｂ，４４ｂに対して容易に移動可能な状態となる。この状態では、溝４３ｂ，４４ｂに対するボール部４１ａの姿勢を任意に変更できる。また、溝４３ｂ，４４ｂに対するボール部４１ａの前後方向の位置を任意に変更できる。溝４３ｂ，４４ｂに対するボール部４１ａの位置、姿勢の変更後、電磁石４５，４６への通電が絶たれて消磁されると、バネ４９の付勢力によって、再び保持板４３，４４が溝４３ｂ，４４ｂでボール部４１ａを挟み込んで、溝４３ｂ，４４ｂに対するボール部４１ａの位置、姿勢を保持した状態で固定する。
【００２４】
−−−支持部６の構造−−−
図２に示すように、支持部６はディスプレイアーム５の前方に設けられており、シャフト６１と、固定シュー６２と、電磁石６５，６６と、バネ６９とを備えている。シャフト６１は、一端に球面状のボール部６１ａが形成された中空軸状の部材であり、ディスプレイアーム５の先端に設けられた穴５ａから他端が突出されて、他端が画像表示部２０に固定されている。シャフト６１を貫通する穴には、配線７１が挿通される。なお、ディスプレイアーム５の穴５ａの内周面は、ボール部６１ａの球面と略同じ曲率半径を有する球面状に形成されている。シャフト６１の他端がディスプレイアーム５の内部から外部に向けて挿通されると、穴５ａの内周面とボール部６１ａとが当接する。これにより、シャフト６１が穴５ａからディスプレイアーム５の外部に抜けてしまうことを防止している。
【００２５】
固定シュー６２は、ボール部６１ａを左側に配設されたリング状の部材であり、中央の開口に配線７１が挿通されている。電磁石６５，６６は、固定シュー６２の左側に配設されたリング状の電磁石であり、中央の開口に配線７１が挿通されている。電磁石６５は、ディスプレイアーム５の内部空間で左右方向に移動可能であり、電磁石６６は、ディスプレイアーム５の内部空間に設けられた突部５ｂによって左方向への移動が規制されている。バネ６９は、電磁石６５と電磁石６６との間に配設されて、電磁石６５と電磁石６６とを離間させるように付勢している。
【００２６】
上述のように、電磁石６６が突部５ｂによって左方向への移動を規制されているので、バネ６９の付勢力によって電磁石６５は、固定シュー６２とともに右側に向かって、すなわちボール部６１ａに向かって付勢される。これにより、ボール部６１ａが穴５ａの内周面と固定シュー６２との間に挟まれて固定されるので、穴５ａとシャフト６１との相対位置、すなわち、ディスプレイアーム５と画像表示部２０との相対位置が固定される。
【００２７】
ここで、電磁石６５，６６に通電されて励磁されると、電磁石６５，６６には互いに引き合うように磁力が発生し、バネ６９の付勢力を低減させる。これにより、固定シュー６２がボール部６１ａを押圧する力が弱められて、シャフト６１のボール部６１ａが穴５ａに対して容易に移動可能な状態となる。この状態では、穴５ａに対するボール部６１ａの姿勢を任意に変更できる。穴５ａに対するボール部６１ａの姿勢の変更後、電磁石６５，６６への通電が絶たれて消磁されると、再びバネ６９の付勢力でボール部６１ａが穴５ａの内周面と固定シュー６２との間で固定され、穴５ａに対するボール部６１ａの姿勢を保持した状態で固定する。
【００２８】
図６は、ヘッドマウントディスプレイ１の構成を示すブロック図である。制御基板８１には、ＣＰＵ８２と、出力回路８３と、バックライト制御回路８４と、映像出力回路８５とが設けられている。ＣＰＵ８２は、解除スイッチ２５のオンオフ状態や、明るさ調節ダイヤル２６、コントラスト調節ダイヤル２７の設定状態を読み込んで各回路８３〜８５に制御信号を出力する。
【００２９】
出力回路８３は、ＣＰＵ８２からの制御信号に基づいて、電磁石４５，４６，６５，６６に対する電力の供給を制御する。バックライト制御回路８４は、ＣＰＵ８２からの制御信号に基づいて、バックライト２１ｂの明るさを制御する。映像出力回路８５は、ＣＰＵ８２からの制御信号に基づいて、ＬＣＤ２１ａで表示する画像のコントラストを制御する。
【００３０】
このように構成されるヘッドマウントディスプレイ１では、使用者がヘッドマウントディスプレイ１を頭部Ｈに装着した後、次のようにして画像表示部２０の位置を調節できる。画像表示部２０を上下からつまむように、使用者が画像表示部２０の上下面に配設された２つの解除スイッチ２５を押圧すると解除スイッチ２５のオン信号がＣＰＵ８２に送信される。ＣＰＵ８２は、２つの解除スイッチ２５からオン信号を受信すると、出力回路８３に対して、電磁石４５，４６，６５，６６を励磁するように制御信号を出力する。出力回路８３は、ＣＰＵ８２から制御信号を受信すると、電磁石４５，４６，６５，６６への電力供給を開始して、電磁石４５，４６，６５，６６を励磁する。
【００３１】
電磁石４５，４６が励磁されると、上述のように、電磁石４５，４６には互いに反発するように磁力が発生し、バネ４９の付勢力を低減させる。これにより、保持板４３，４４で挟まれて固定されていたがボール部４１ａを移動可能となる。また、電磁石６５，６６が励磁されると、上述のように、電磁石６５，６６には互いに引き合うように磁力が発生し、バネ６９の付勢力を低減させる。これにより、固定シュー６２と穴５ａの内周面との間に挟まれて固定されていたボール部６１ａが移動可能となる。
【００３２】
すなわち、ディスプレイアーム５がヘッドホーン３に対して移動可能となり、画像表示部２０がディスプレイアーム５に対して移動可能となる。これにより、使用者は、画像表示部２０を上下からつまんで２つの解除スイッチ２５を押圧しながら、適宜画像表示部２０の位置を調節できる。
【００３３】
使用者が画像表示部２０から手を離すと、解除スイッチ２５が押圧されなくなるので、解除スイッチ２５のオフ信号がＣＰＵ８２に送信される。ＣＰＵ８２は、２つの解除スイッチ２５からオフ信号を受信すると、出力回路８３に対して、電磁石４５，４６，６５，６６を消磁するように制御信号を出力する。出力回路８３は、ＣＰＵ８２から制御信号を受信すると、電磁石４５，４６，６５，６６への電力供給を中止して、電磁石４５，４６，６５，６６を消磁する。
【００３４】
電磁石４５，４６が消磁されると、上述のように、バネ４９の付勢力によって保持板４３，４４でボール部４１ａが挟まれて固定される。また、電磁石６５，６６が消磁されると、上述のように、バネ６９の付勢力によって、ボール部６１ａが固定シュー６２と穴５ａの内周面との間に挟まれて固定される。
【００３５】
すなわち、使用者が画像表示部２０から手を離すと、ヘッドホーン３に対するディスプレイアーム５の位置が固定され、ディスプレイアーム５に対する画像表示部２０の位置が固定されるので、使用者が調節した位置に画像表示部２０を固定できる。このようにして、使用者は、画像表示部２０の表示画面が使用者の眼と対向するように画像表示部２０の位置を調節できる。
【００３６】
このように、ヘッドマウントディスプレイ１では、解除スイッチ２５は、装着部と画像表示部２０との相対位置を変更する際に可動する複数の可動部分を一括して固定する、または、固定を解除する動作を制御するＣＰＵ８２と接続されている。２つの解除スイッチ２５がオンされると、各部がアーム支持部４と支持部６とで回動可能となるので、装着部と画像表示部２０との相対位置を変更可能とする複数の可動部分の固定を一括して解除できる。また、２つの解除スイッチ２５がオフされると、各部がアーム支持部４と支持部６とで固定されるので、装着部と画像表示部２０との相対位置を変更可能とする複数の可動部分を一括して固定できる。なお、上述したように、解除スイッチ２５は、装着部と画像表示部２０との相対位置についての「位置調節可能状態」と「固定状態」とを切り換える切換部材であるが、画像表示部２０を上下からつまむようにして同時に操作されるので、２つの解除スイッチ２５で１つの切換部材であるとも言える。
【００３７】
使用者によって明るさ調節ダイヤル２６が操作されると、明るさ調節ダイヤル２６の設定状態を読み込んだＣＰＵ８２が読み込んだ設定値に応じた明るさで画像が表示されるようにバックライト制御回路８４に制御信号を出力する。バックライト制御回路８４は、ＣＰＵ８２からの制御信号に基づいて、バックライト２１ｂの明るさを制御する。
【００３８】
同様に、使用者によってコントラスト調節ダイヤル２７が操作されると、コントラスト調節ダイヤル２７の設定状態を読み込んだＣＰＵ８２が読み込んだ設定値に応じたコントラストで画像が表示されるように映像出力回路８５に制御信号を出力する。映像出力回路８５は、ＣＰＵ８２からの制御信号に基づいて、ＬＣＤ２１ａで表示する画像のコントラストを制御する。
【００３９】
上述した一実施の形態の携帯表示装置では、次の作用効果を奏する。
（１）  画像表示部２０に関する操作部材である解除スイッチ２５、明るさ調節ダイヤル２６およびコントラスト調節ダイヤル２７を画像表示部２０に設けるように構成したので、画像表示部２０に関する調節が容易になる。
【００４０】
（２）  画像表示部２０に設けられた解除スイッチ２５によって、各支持部４，６における固定と解除とを操作できるように構成した。これにより、位置調節の対象部材である画像表示部２０を片手で把持しながらその位置を調節できるので、すなわち、使用者が位置調節の際に持ちたいと思う場所に解除スイッチ２５が設けられているので、解除スイッチ２５が画像表示部２０から離れた位置に設けられている場合と比べて、格段に位置調節が容易となる。また、画像表示部２０に設けられた明るさ調節ダイヤル２６およびコントラスト調節ダイヤル２７によって画像表示部２０に表示される画像の明るさおよびコントラストを調節できるように構成した。これにより、調節対象となる画像が表示される画像表示部２０に設けられている操作部材を操作することで、画像の明るさおよびコントラストを調節できることになるので、操作部材が画像表示部２０から離れた位置に設けられている場合と比べて、操作部材の位置が直感的に分かりやすくなり、操作性が向上する。
【００４１】
（３）  従来の携帯表示装置では、複数の可動部のうち、動かそうとする１つの可動部以外の可動部が動かないように、画像表示部を持つ手とは反対側の手で画像表示部以外の場所を押さておく必要がある。これに対して、上述したヘッドマウントディスプレイ１では、解除スイッチ２５の操作だけで、各支持部４，６における固定と解除とを一括して操作できる。これにより、片手で解除スイッチ２５の操作と画像表示部２０の移動を行うことができる。また、手で動かされる画像表示部２０の動きに合わせてディスプレイアーム５の位置、姿勢が追従することとなる。したがって、従来の携帯表示装置のように、複数の可動部を順次動かす必要がないので、画像表示部２０を使用者の眼前でちょうどよい位置および向きに素早く調節できる。
【００４２】
（４）  複数の可動部分のうち、任意の一の可動部分による可動方向が他の可動部分の可動方向とは異なるように構成したので、画像表示部２０の位置調節の自由度が高まり、個々人によって異なる頭部Ｈの形状や、好みの位置（特に眼前における前後方向位置）に柔軟に対応できる。
【００４３】
（５）  各支持部４，６では、画像表示部２０の位置調節時に、挟み込んで固定しているボール部４１ａ，６１ａを開放するように構成した。これにより、従来の可動である支持部分のように、常時一定の圧力で押圧される摺動部分の摩擦力を利用して固定をしている場合と比べ、位置調節時の摩擦力を大幅に低減できるので、位置調節が容易となる。また、位置調節を繰り返しても摺動面の摩耗がほとんどないので、各支持部４，６における固定力の経時変化が遙かに少なく、各支持部４，６の耐久性を向上できる。さらに、ボール部４１ａ，６１ａを挟み込んで固定している状態では、摺動面で摺動させる必要がないため、高い固定力で固定することができ、画像表示部２０の不所望な移動を防止できるので、画像表示部２０の位置の再調節の機会が減って、利便性が向上する。
【００４４】
−−−変形例−−−
（１）  上述の説明では、ヘッドマウントディスプレイ１の複数の可動部分のうち、任意の一の可動部分による可動方向は、他の可動部分の可動方向とは異なっているが、本発明はこれに限定されない。複数の可動部分のうち、任意の一の可動部分による可動方向の少なくとも１つが他の可動部分の可動方向とは異なる方向であればよく、上述の場合と同様に、画像表示部２０の位置調節の自由度を高めて、柔軟な位置調節が可能となる。
【００４５】
（２）  上述の説明では、各支持部４，６において、ボール部４１ａ，６１ａの固定／解除のために電磁石４５，４６，６５，６６とバネ４９，６９とを用いているが、本発明はこれに限定されない。２つの部材の相対位置の移動を択一的に許可および禁止できるのであれば、たとえば、モータや流体シリンダなどのアクチュエータなど、電動で駆動されるものや、流体の流れを利用したもの、電磁的な作用力を利用したものなど様々な手段を用いることができる。また、ワイヤ、ロッド、バネ、リンク機構などの機械的な要素のみからなる手段を用い、ロック解除スイッチの押し込み動作と連動するように接続されていてもよい。
【００４６】
（３）  上述の説明では、解除スイッチ２５が画像表示部２０の上下面に設けられており、２つの解除スイッチ２５が押圧されたときに、各支持部４，６における固定が解除されるように構成されているが、本発明はこれに限定されない。たとえば、２つの解除スイッチのうち、いずれか一つが押圧されたときにも、各支持部４，６における固定が解除されるように構成してもよい。また、解除スイッチ２５を画像表示部２０の上下面のいずれか一方にだけ設けるようにしてもよい。
（４）  上述した各実施の形態および変形例は、それぞれ組み合わせてもよい。
【００４７】
なお、本発明は、上述した実施の形態のものに何ら限定されず、使用者の頭部に装着するための装着部と、画像を表示する画像表示部と、装着部に取り付けられて画像表示部を支持する支持部と、表示部に関する操作部材とを備え、操作部材を画像表示部に設けた各種構造の携帯表示装置を含むものである。
【図面の簡単な説明】
【００４８】
【図１】本実施の形態のヘッドマウントディスプレイを模式的に示す図であり、ヘッドマウントディスプレイを使用者が頭部Ｈに装着した状態を示している。
【図２】ヘッドマウントディスプレイ１の構造を模式的に示した断面図である
【図３】図２のＡ−Ａ断面を示す図である。
【図４】図２のＢ−Ｂ断面を示す図である。
【図５】保持具４２の斜視図である。
【図６】ヘッドマウントディスプレイ１の構成を示すブロック図である。
【符号の説明】
【００４９】
１  ヘッドマウントディスプレイ            ２  連結アーム
３  ヘッドホーン                          ４  アーム支持部
５  ディスプレイアーム                    ６  支持部
２０  画像表示部                          ２５  解除スイッチ
２６  明るさ調節ダイヤル                  ２７  コントラスト調節ダイヤル
【図１】
2007325105.tif 000003
【図２】
2007325105.tif 000004
【図３】
2007325105.tif 000005
【図４】
2007325105.tif 000006
【図５】
2007325105.tif 000007
【図６】
2007325105.tif 000008